(57)【特許請求の範囲】
【請求項１】
受信したテレビジョン信号を周波数変換して中間周波信号を出力する周波数変換部と、少なくともコイルと負の温度特性を持つコンデンサとを有すると共に、前記中間周波信号を通過する中間周波同調回路とを備え、前記中間周波同調回路の同調周波数を、常温帯の特定の温度において前記テレビジョン信号の映像中間周波数と色中間周波数とのほぼ中間の周波数に一致させた場合、周囲温度が２５℃上昇したときの前記同調周波数が前記テレビジョン信号の映像中間周波数と色中間周波数とのほぼ中間の前記周波数よりも周波数が高く、前記映像中間周波信号の周波数以下となるようにしたことを特徴とするテレビジョンチューナー。
【発明の詳細な説明】
【０００１】
【発明の属する技術分野】
本発明は、テレビジョンチューナーに関する。
【０００２】
【従来の技術】
従来のテレビジョンチューナーを図５及び図６に従って説明する。テレビジョンチューナーは、受信したテレビジョン信号を中間周波信号（以下、ＩＦ信号と略す）に周波数変換して出力する周波数変換部３１と、周波数変換部３１から出力されたＩＦ信号が通過する中間周波同調回路（以下、ＩＦ同調回路と略す）３２と、ＩＦ信号を増幅して出力する中間周波増幅器３３とを有している。
【０００３】
まず、アンテナ（図示せず）で受信したテレビジョン信号が、増幅器（図示せず）において増幅されて周波数変換部３１に入力される。周波数変換部３１は、第一及び第二の出力端３１ａ、３１ｂを有しており、図示はしないが、電圧制御発振器や混合器を備えている。そして、混合器において、電圧制御発振器が出力する発振信号とテレビジョン信号とが混合されて、周波数変換されてＩＦ信号となって、第一の出力端３１ａ及び第二の出力端３１ｂから平衡状態で出力される。ここで、例えば、国内仕様のテレビジョンチューナーにおいては、音声中間周波数ＳＩＦが５４．２５ＭＨｚ、色中間周波数ＣＩＦが５５．１７ＭＨｚ、映像中間周波数ＰＩＦが５８．７５ＭＨｚとなっている。
【０００４】
ＩＦ同調回路３２は、コンデンサ３２ａと同調コイル３２ｂとを有している。そして、コンデンサ３２ａと同調コイル３２ｂとは並列に接続されており、同調コイル３２ｂの一端が周波数変換部３１の第一の出力端３１ａに、同調コイル３２ｂの他端が周波数変換部３１の第二の出力端３１ｂにそれぞれ接続されている。そして、ＩＦ同調回路３２の同調周波数ｆ０は、映像中間周波数ＰＩＦと色中間周波数ＣＩＦとの間のほぼ中心の周波数（国内仕様では５７ＭＨｚ）となるように設定されている。
【０００５】
中間周波増幅回路３３は結合コンデンサ３４、３５を介して同調コイル３２ｂの一端及び他端に接続されている。そして、周波数変換部３１から出力されたＩＦ信号は、ＩＦ同調回路３２を通過して中間周波増幅回路３３に平衡に入力されるとともに増幅されて出力される。
【０００６】
ここで、図６において実線で示すように、ＩＦ同調回路３２から出力されるＩＦ信号のレベルは、同調周波数ｆ０において最大値（点Ａ）となる。そして、同調周波数ｆ０よりも周波数が高く、または低くなるにしたがってＩＦ信号のレベルが徐々に低くなる曲線を描く出力特性となる。そして、映像中間周波数ＰＩＦのレベルは同調周波数ｆ０よりも低く（点Ｂ）、同様に、色中間周波数ＣＩＦ及び音声中間周波数ＳＩＦのレベルは、同調周波数ｆ０のレベルよりも低くなっている（点Ｃ及び点Ｄ）。
【０００７】
【発明が解決しようとする課題】
ところで、上述の周波数変換部３１が有する混合器や周波数変換部３１の前段に設けられた増幅器（図示せず）には、例えば、トランジスタ（図示せず）が使用される。一般にトランジスタは、周囲温度が上昇すると利得が下がり、周波数変換部３１のＩＦ信号の出力特性は図６の点線で示すように、利得が全体的に下がってしまう。このため、音声中間周波信号ＳＩＦ及び映像中間周波信号ＰＩＦの信号のレベルは、図６の点線で示すように、それぞれ点Ｄから点Ｄ’及び点Ｂから点Ｂ’に下がってしまい、特に映像中間周波信号ＰＩＦのレベルが下がることで、テレビに表示される画像のＳ／Ｎが悪化するという問題があった。
【０００８】
本発明は、この問題を解決するためのもので、その目的は、周囲温度が上昇したときに、映像中間周波数ＰＩＦのレベルの減衰が少なくなるようにすることにある。
【０００９】
【課題を解決するための手段】
上記問題の解決のために、本発明のテレビジョンチューナは、受信したテレビジョン信号を周波数変換して中間周波信号を出力する周波数変換部と、少なくともコイルと負の温度特性を持つコンデンサとを有すると共に、前記中間周波信号を通過する中間周波同調回路とを備え、前記中間周波同調回路の同調周波数を、常温帯の特定の温度において前記テレビジョン信号の映像中間周波数と色中間周波数とのほぼ中間の周波数に一致させた場合、周囲温度が２５℃上昇したときの前記同調周波数が前記テレビジョン信号の映像中間周波数と色中間周波数とのほぼ中間の前記周波数よりも周波数が高く、前記映像中間周波信号の周波数以下となるようにした。
【００１２】
【発明の実施の形態】
本発明のテレビジョンチューナーを図１乃至図４に従って説明する。ここで、図１は本発明のテレビジョンチューナーの回路図を示し、図２は、本発明のテレビジョンチューナーの中間周波同調回路の出力特性のグラフを示し、図３及び図４は、本発明のテレビジョンチューナーの他の実施例の回路図を示している。
【００１３】
本発明のテレビジョンチューナーは、テレビジョン信号を周波数変換して中間周波数（以下、ＩＦ信号と略す）を出力する周波数変換部１と、周波数変換部１から出力されたＩＦ信号が通過する中間周波同調回路（以下、ＩＦ同調回路と略す）２と、ＩＦ信号を増幅して出力する中間周波増幅器３とを有している。
【００１４】
まず、アンテナ（図示せず）で受信したテレビジョン信号が、増幅器（図示せず）において増幅されて周波数変換部１に入力される。周波数変換部１は、第一及び第二の出力端１ａ、１ｂを有しており、図示はしないが、電圧制御発振器と混合器とを備えている。そして、混合器において、電圧制御発振器が出力する発振信号とテレビジョン信号とが混合されて、周波数変換されてＩＦ信号となって第一及び第二の出力端１ａ、１ｂから平衡状態で出力される。ここで、例えば、日本仕様のテレビジョンチューナーにおいては、音声中間周波数ＳＩＦが５４．２５ＭＨｚ、色中間周波数ＣＩＦが５５．１７ＭＨｚ、映像中間周波数ＰＩＦが５８．７５ＭＨｚとなっている。
【００１５】
ＩＦ同調回路２は、負の温度特性を有するコンデンサ４と同調コイル５とを有している。そして、コンデンサ４と同調コイル５とは並列に接続されており、同調コイル５の一端及び他端がそれぞれ周波数変換部１の第一及び第二の出力端１ａ、１ｂに接続されている。
【００１６】
ここで、コンデンサ４の温度特性は、図２において実線で示すように、常温帯（例えば、２０℃〜２５℃）の特定の温度（例えば、２５℃）におけるＩＦ同調回路２の同調周波数ｆ０が色中間周波数ＣＩＦの周波数（５５．１７ＭＨｚ）と映像中間周波数ＰＩＦの周波数（５８．７５ＭＨｚ）との間のほぼ中間の周波数（国内仕様においては、５７ＭＨｚ）においてＩＦ信号のレベルが最大値（点Ａ）となる出力特性となり、例えば、常温から２５℃上昇したときには、図２において点線で示すように、ＩＦ同調回路２の同調周波数ｆ０’が常温の時の同調周波数ｆ０よりも周波数が高く、映像中間周波信号ＰＩＦ以下の周波数でＩＦ信号のレベルが最大値（点Ｅ）となる出力特性となるようになっている。従って、同調周波数ｆ０よりも周囲温度の上昇後の同調周波数ｆ０’の方が映像中間周波数ＰＩＦの値に近くなる。
【００１７】
ここで、ＩＦ信号のレベルは図２に示すように、同調周波数ｆ０に値が近いほどレベルが高くなる。従って、テレビジョンチューナーの周囲温度が高くなった時の映像中間周波数ＰＩＦのレベルは、同調周波数ｆ０が周囲温度の上昇によってｆ０’（点Ｅ）となるので、同調周波数ｆ０’の値と映像中間周波数ＰＩＦの値とが近くなる。従って、従来に比べて同調周波数ｆ０’と映像中間周波数ＰＩＦとのレベルの差が少なくなるので、映像中間周波数ＰＩＦのレベルが減衰するのを少なくすることが出来る。
【００１８】
また、特定の温度時の同調周波数ｆ０を色中間周波数ＣＩＦの周波数と映像中間周波数ＰＩＦの周波数との間の周波数となるように設定しているので、温度変化によってＩＦ信号のレベルが減衰した場合に、音声中間周波数ＳＩＦのレベルが必要以上に小さくなって音声出力が劣化するのを防止している。
【００１９】
そして、同調コイル５の一端及び他端は結合コンデンサ６、７を介して、それぞれ中間周波増幅回路３に接続されている。そして、周波数変換部１から出力されたＩＦ信号は、ＩＦ同調回路２を通過して、中間周波増幅回路３に入力され、中間周波増幅回路３において増幅されて出力されるようになっている。
【００２０】
なお、上述の例においては、周波数変換部１からＩＦ信号が平衡で出力される場合を例示して説明したが、周波数変換部１から不平衡に出力しても良く、この場合には、図３に示すように、中間周波同調回路２をコンデンサ４と同調コイル５とを直列に接続するか、図４に示すように、コンデンサ４と同調コイル５とを並列に接続して構成しても良く、この場合においても同様な効果を得ることが出来る。
【００２３】
【発明の効果】
本発明のテレビジョンチューナーは、中間周波同調回路の同調周波数を、常温帯の特定の温度において前記テレビジョン信号の映像中間周波数と色中間周波数とのほぼ中間の周波数に一致させた場合、周囲温度が２５℃上昇したときの同調周波数が前記テレビジョン信号の映像中間周波数と色中間周波数とのほぼ中間の周波数よりも周波数が高く、映像中間周波信号の周波数以下となるようにしたことで、周囲温度の上昇時に音声中間周波数ＳＩＦのレベルが必要以上に小さくなって音声出力が劣化するのを防止することが出来る。
【図面の簡単な説明】
【図１】本発明のテレビジョンチューナーの回路図である。
【図２】本発明のテレビジョンチューナーの中間周波同調回路の出力特性を示すグラフである。
【図３】本発明のテレビジョンチューナーの他の実施例を示す回路図である。
【図４】本発明のテレビジョンチューナーの他の実施例を示す回路図である。
【図５】従来のテレビジョンチューナーの回路図である。
【図６】従来のテレビジョンチューナーの中間周波同調回路の出力特性を示すグラフである。
【符号の説明】
１  周波数変換部
１ａ  第一の出力端
１ｂ  第二の出力端
２  中間周波同調回路
３  中間周波増幅器
３ａ  第一の入力端
３ｂ  第二の入力端
４  コンデンサ
５  同調コイル
６，７  結合コンデンサ
【図１】
0003631037.tif 000002
【図２】
0003631037.tif 000003
【図３】
0003631037.tif 000004
【図４】
0003631037.tif 000005
【図５】
0003631037.tif 000006
【図６】
0003631037.tif 000007